(57)【要約】【課題】  ２通話・２映像のインターホンシステムであっても芯数の少ないケーブルで住戸内インターホンと接続可能なインターホンシステムを提供する。【解決手段】  通話線路１からの通話信号及び映像線路１からの映像信号を受信するとき、住宅内インターホン１０の通話用リレー接点１１をオンにすると共に、直流電圧を映像分岐線路２３を通じて１映像用リレーコイル２に印加し、１映像用リレー接点２ａを映像線路１側に切り換え、通話線路２からの通話信号及び映像線路２からの映像信号を受信するときは、住宅内インターホン１０の通話用リレー接点１１をオンにすると共に、直流電圧を映像分岐線路２３を通じて２通話用及び２映像用リレーコイル３，４に印加し、２通話用リレー接点３ａを通話線路２側に切り換えると共に、２映像用リレー接点４ａを映像線路２側に切り換えるようにした。【選択図】        図１
2005286567.tif 000002
【特許請求の範囲】
【請求項１】
各住戸に設置された住戸内インターホンと、識別情報及び線路情報が付加された制御信号を伝送するための制御線路と、通話信号を伝送するための通話線路と、前記住戸内インターホンに対応して設けられ、前記各線路上に挿入される映像アダプタと、前記住戸内インターホンと前記映像アダプタの双方を結ぶ制御分岐線路とを備えたインターホンシステムにおいて、
前記住戸内インターホンと映像アダプタの双方を通話分岐線路で結び、
前記住戸内インターホンは、前記制御分岐線路を介して受信された制御信号上の識別情報から自己への呼出と判断したときに、その制御信号上の線路情報に基づく線路切換信号を送信し、
前記映像アダプタは、前記線路切換信号に基づいて、前記複数の通話線路から目的の通話線路を選択して前記通話分岐線路と接続することを特徴とするインターホンシステム。
【請求項２】
前記複数の通話線路は２系統からなり、
２系統の通話線路から分岐された線路と通話分岐線路との間に挿入され、常時、一方の通話線路側を導通状態にしている通話用リレー接点と、
前記線路切換信号が受信されたとき、他方の通話線路側を導通状態にするように、前記通話用リレー接点の接続を切り換える第２のリレーコイルとを備え、
前記住戸インターホンに、前記通話分岐線路側に接続された常開の通話用リレー接点及び、前記制御分岐線路を介して受信された制御信号上の識別情報から自己への呼出と判断したときに前記常開の通話用リレー接点をオンにする制御部を設けたことを特徴とする請求項１記載のインターホンシステム。
【請求項３】
各住戸に設置された住戸内インターホンと、識別情報及び線路情報が付加された制御信号を伝送するための制御線路と、カメラ側からの映像信号を伝送するための映像線路と、前記住戸内インターホンに対応して設けられ、前記各線路上に挿入される映像アダプタと、前記住戸内インターホンと前記映像アダプタの双方を結ぶ制御分岐線路とを備えたインターホンシステムにおいて、
前記住戸内インターホンと映像アダプタの双方を映像分岐線路で結び、
前記住戸内インターホンは、前記制御分岐線路を介して受信された制御信号上の識別情報から自己への呼出と判断したときに、その制御信号上の線路情報に基づく線路切換信号を送信し、
前記映像アダプタは、前記線路切換信号に基づいて、前記複数の映像線路から目的の映像線路を選択して前記映像分岐線路と接続することを特徴とするインターホンシステム。
【請求項４】
前記複数の映像線路は２系統からなり、
２系統の映像線路にそれぞれ挿入され、常時各映像線路を導通状態にし、かつ、映像分岐線路側との間を開放している２組の映像用リレー接点と、
映像分岐線路の一方の線路を通じて前記線路切換信号が受信されたとき、前記２組の映像用リレー接点のうち、一方の映像用リレー接点の接続を切り換える第１のリレーコイルと、
映像分岐線路の他方の線路を通じて前記線路切換信号が受信されたとき、もう一方の映像用リレー接点の接続を切り換える第２のリレーコイルと
を備えていることを特徴とする請求項３記載のインターホンシステム。
【請求項５】
前記住戸内インターホンは、
線路系統に応じて設けられた第１及び第２電源と、
前記制御信号上の識別情報から自己への呼出と判断したときに、その制御信号上の線路情報に基づいて線路系統を判別する制御部と、
前記制御部により系統１と判別されたとき、前記第１電源の電圧を線路切換信号として前記映像分岐線路の一方の線路上に伝送し、系統２と判別されたときは、前記第２の電源の電圧を線路切換信号として前記映像分岐線路の他方の線路上に伝送する電源切換部と
を備えていることを特徴とする請求項３又は４記載のインターホンシステム。
【請求項６】
前記映像アダプタは、
前記映像分岐線路の一方の線路及び他方の線路に伝送される線路切換信号を一方向から出力するダイオードブリッジ回路と、
前記ダイオードブリッジ回路からの線路切換信号の電圧と予め設定された基準電圧とを比較し、前記電圧が基準電圧未満のとき、その電圧を第１のリレーコイルに供給し、前記電圧が基準電圧以上のときは、その電圧を第２のリレーコイルに供給する電圧比較回路とを備えていることを特徴とする請求項４記載のインターホンシステム。
【請求項７】
各住戸に設置された複数の住戸内インターホンと、
識別情報及び線路情報が付加された制御信号を伝送するための制御線路と、
通話信号を伝送するための複数の通話線路と、
カメラ側からの映像信号を伝送するための複数の映像線路と、
前記複数の住戸内インターホンにそれぞれ対応して設けられ、前記の各線路上に挿入された複数の映像アダプタと、
前記住戸内インターホン及び前記映像アダプタの双方を結ぶ制御分岐線路、通話分岐線路及び映像分岐線路とを有し、
前記複数の住戸内インターホンは、前記制御分岐線路を介して受信された制御信号上の識別情報から自己への呼出と判断したときに、その制御信号上の線路情報に基づく線路切換信号を前記映像分岐線路を通じて送信し、
前記複数の映像アダプタは、前記線路切換信号に基づいて、前記複数の通話線路から目的の通話線路を選択して前記通話分岐線路と接続すると共に、前記複数の映像線路から目的の映像線路を選択して前記映像分岐線路と接続することを特徴とするインターホンシステム。
【請求項８】
前記複数の通話線路及び複数の映像線路はそれぞれ２系統からなり、
前記複数の映像アダプタは、
受信側の制御線路からの制御信号を送信側の制御線路に伝送すると共に、制御分岐線路側に伝送する制御伝送路部と、
２系統の通話線路から分岐された線路と通話伝送路部側との間に挿入され、常時、一方の通話線路側を導通状態にしている通話用リレー接点と、
２系統の映像線路上にそれぞれ挿入され、常時、各映像線路を導通状態にし、かつ、映像分岐線路側との間を開放している２組の映像用リレー接点と、
映像分岐線路の一方の線路を通じて前記線路切換信号が受信されたとき、前記２組の映像用リレー接点のうち一方の映像用リレー接点の接続を切り換える第１のリレーコイルと、
映像分岐線路の他方の線路を通じて前記線路切換信号が受信されたとき、もう一方の映像用リレー接点の接続を切り換えると共に、前記通話用リレー接点の接続を切り換える第２のリレーコイルと
を備えていることを特徴とする請求項７記載のインターホンシステム。
【発明の詳細な説明】
【技術分野】
【０００１】
本発明は、集合住宅などで使用されるインターホンシステム、特に各住戸に設置される住戸内インターホンと住戸毎に映像線などを分岐する映像アダプタとの間の接続に関するものである。
【背景技術】
【０００２】
従来、集合住宅におけるインターホンシステムは、管理室側から配線された通話線路及び制御線路が、各住戸に設置されたドアホンの背面に設けられた埋込ボックス内で分岐されて住戸内インターホンと接続され、また、管理室側から配線された映像線路が、スイッチボックス内に設けられた映像アダプタで分岐されて住戸内インターホンに接続されている（例えば、特許文献１参照）。
【特許文献１】特開２００１−１１０４７２号公報（第４頁、図５）
【発明の開示】
【発明が解決しようとする課題】
【０００３】
前述した従来の技術は、集合玄関機と住戸内インターホンを結ぶ通話線路及び映像線路がそれぞれ２組づつある２通話・２映像のインターホンシステムであるため、スイッチボックスと住戸内インターホン間のケーブルの必要芯数は、通話用に４芯、映像用に４芯、制御用に２芯必要となり、少なくとも公称対数５のケーブルが使用されていた。また、通話線路及び映像線路が１組づつしかない１通話・１映像のインターホンシステムにおいては、ケーブルの使用芯数が８芯であるが、公称対数４のケーブルは市販されていないために、前記と同様に公称対数５のケーブルが使用されている。このため、戸数の多い集合住宅においては、ケーブルの接続に多大な時間を要し、施工者にとって大きな負担であった。
【０００４】
本発明は、かかる課題を解決するためになされたもので、２通話・２映像のインターホンシステムであっても芯数の少ないケーブルで住戸内インターホンと接続可能なインターホンシステムを提供することを目的とする。
【課題を解決するための手段】
【０００５】
本発明に係るインターホンシステムは、各住戸に設置された住戸内インターホンと、識別情報及び線路情報が付加された制御信号を伝送するための制御線路と、通話信号を伝送するための通話線路と、住戸内インターホンに対応して設けられ、前記各線路上に挿入される映像アダプタと、住戸内インターホンと映像アダプタの双方を結ぶ制御分岐線路とを備えたインターホンシステムにおいて、住戸内インターホンと映像アダプタの双方を通話分岐線路で結び、住戸内インターホンは、制御分岐線路を介して受信された制御信号上の識別情報から自己への呼出と判断したときに、その制御信号上の線路情報に基づく線路切換信号を送信し、映像アダプタは、線路切換信号に基づいて、複数の通話線路から目的の通話線路を選択して通話分岐線路と接続する。
【０００６】
本発明に係るインターホンシステムは、複数の通話線路は２系統からなり、２系統の通話線路から分岐された線路と通話分岐線路との間に挿入され、常時、一方の通話線路側を導通状態にしている通話用リレー接点と、線路切換信号が受信されたとき、他方の通話線路側を導通状態にするように、通話用リレー接点の接続を切り換える第２のリレーコイルとを備え、住戸インターホンに、通話分岐線路側に接続された常開の通話用リレー接点及び、制御分岐線路を介して受信された制御信号上の識別情報から自己への呼出と判断したときに常開の通話用リレー接点をオンにする制御部を設けたものである。
【０００７】
本発明に係るインターホンシステムは、各住戸に設置された住戸内インターホンと、識別情報及び線路情報が付加された制御信号を伝送するための制御線路と、カメラ側からの映像信号を伝送するための映像線路と、住戸内インターホンに対応して設けられ、前記各線路上に挿入される映像アダプタと、住戸内インターホンと映像アダプタの双方を結ぶ制御分岐線路とを備えたインターホンシステムにおいて、住戸内インターホンと映像アダプタの双方を映像分岐線路で結び、住戸内インターホンは、制御分岐線路を介して受信された制御信号上の識別情報から自己への呼出と判断したときに、その制御信号上の線路情報に基づく線路切換信号を送信し、映像アダプタは、線路切換信号に基づいて、複数の映像線路から目的の映像線路を選択して映像分岐線路と接続する。
【０００８】
本発明に係るインターホンシステムは、複数の映像線路は２系統からなり、２系統の映像線路にそれぞれ挿入され、常時各映像線路を導通状態にし、かつ、映像分岐線路側との間を開放している２組の映像用リレー接点と、映像分岐線路の一方の線路を通じて前記線路切換信号が受信されたとき、２組の映像用リレー接点のうち、一方の映像用リレー接点の接続を切り換える第１のリレーコイルと、映像分岐線路の他方の線路を通じて線路切換信号が受信されたとき、もう一方の映像用リレー接点の接続を切り換える第２のリレーコイルとを備えたものである。
【０００９】
本発明に係るインターホンシステムは、住戸内インターホンは、線路系統に応じて設けられた第１及び第２電源と、制御信号上の識別情報から自己への呼出と判断したときに、その制御信号上の線路情報に基づいて線路系統を判別する制御部と、制御部により系統１と判別されたとき、第１電源の電圧を線路切換信号として映像分岐線路の一方の線路上に伝送し、系統２と判別されたときは、第２の電源の電圧を線路切換信号として映像分岐線路の他方の線路上に伝送する電源切換部とを備えたものである。
【００１０】
本発明に係るインターホンシステムは、映像アダプタは、映像分岐線路の一方の線路及び他方の線路に伝送される線路切換信号を一方向から出力するダイオードブリッジ回路と、ダイオードブリッジ回路からの線路切換信号の電圧と予め設定された基準電圧とを比較し、電圧が基準電圧未満のとき、その電圧を第１のリレーコイルに供給し、電圧が基準電圧以上のときは、その電圧を第２のリレーコイルに供給する電圧比較回路とを備えたものである。
【発明の効果】
【００１１】
本発明においては、住戸内インターホンは、制御分岐線路を介して受信された制御信号上の識別情報から自己への呼出と判断したときに、その制御信号上の線路情報に基づく線路切換信号を映像分岐線路を通じて送信し、映像アダプタは、その線路切換信号に基づいて、複数の通話線路から目的の通話線路を選択して、その通話線路上の通話信号を通話分岐線路を介して住戸内インターホンに伝送すると共に、複数の映像線路から目的の映像線路を選択して、その映像線路上の映像信号を映像分岐線路を介して住戸内インターホンに伝送するようにしたので、映像アダプタと住宅内インターホンとの間を３ペアケーブルでも各信号の送受信が可能になり、このため、従来と比べケーブルの接続が容易になり、工事者の負担を軽減できる。
【００１２】
また、本発明においては、映像アダプタに、映像分岐線路の一方の線路及び他方の線路に伝送される線路切換信号を一方向から出力するダイオードブリッジ回路と、ダイオードブリッジ回路からの線路切換信号の電圧と予め設定された基準電圧とを比較し、電圧が基準電圧未満のとき、その電圧を第１のリレーコイルに供給し、入力電圧が基準電圧以上のときは、その電圧を第２のリレーコイルに供給する電圧比較回路とを備えたので、映像アダプタと住戸内インターホンとを結ぶ映像分岐線路が誤ってクロスした状態で接続されたとしても、住戸内インターホンからの線路切換信号に基づく通話線路及び映像線路の選択を正確に行える。
【発明を実施するための最良の形態】
【００１３】
実施形態１．
図１は本発明の実施形態に係るインターホンシステムの映像アダプタ及び住戸内インターホンの回路図である。なお、図中に示す映像アダプタ及び住戸内インターホンの各リレー接点は、待機時（無通話時）の接続状態である。
図において、１は集合住宅の各住戸に設けられる映像アダプタである。例えば管理室に最も近い住戸の映像アダプタ１は、その管理室に設置された映像制御装置（図示せず）と制御線路、２系統の通話線路及び２系統の映像線路の幹線を通じて接続され、それ以降の映像アダプタ１は、相互に幹線を通じて接続されている。前記の映像制御装置は、同室に設置された通話制御装置（図示せず）を介して２台の集合玄関機（図示せず）と接続されている。この集合玄関機は、それぞれ訪問者を撮影するカメラが装着されている。ここで、制御線路は、識別情報及び線路情報が付加された制御信号を伝送し、通話線路は、通話信号を伝送し、映像線路は、カメラ側からの映像信号を伝送する。映像アダプタ１は、住戸内インターホンにそれぞれ対応して設けられ、制御線路、通話線路、映像線路の各線路上に挿入され、各線路を住戸内インターホンに分岐すると共に、各線路を次の住戸の映像アダプタに配線するように設けられる。この映像アダプタ１と住戸内インターホンの双方は、制御分岐線路２１、通話分岐線路２２及び映像分岐線路２３とで結ばれている。通話分岐線路２２及び映像分岐線路２３は、共に一対の線路から構成され、入力側の２系統あった通話線路及び映像線路の本数を少なくしている。
【００１４】
Ｔ１〜Ｔ６は制御用端子で、図中に示すように制御伝送路部６を介して相互に接続されている。制御伝送路部６は、受信側の制御線路からの制御信号を送信側の制御線路に伝送すると共に、制御分岐線路側に伝送する。映像制御装置又は他の映像アダプタ１からの制御信号は、制御用端子Ｔ１，Ｔ２から入力され、制御用端子Ｔ３，Ｔ４を介して他の映像アダプタ１へ伝送されると共に、制御用端子Ｔ５，Ｔ６を介して住戸内インターホン１０へ伝送される。また、住戸内インターホン１０からの制御信号は、制御用端子Ｔ５，Ｔ６から入力され、制御用端子Ｔ１，Ｔ２及びＴ３，Ｔ４を介して伝送される。
【００１５】
Ｔ７〜Ｔ１６は通話用端子である。その内、通話用端子Ｔ７〜Ｔ１４は、２系統の通話線路が接続され、内部配線によってそれぞれ接続されている。これら通話用端子Ｔ７〜Ｔ１４と一対の通話用端子Ｔ１５，Ｔ１６は２通話用リレー接点３ａを介して接続されている。通話制御装置又は他の映像アダプタ１からの通話信号は、通話用端子Ｔ７，Ｔ８又はＴ９，Ｔ１０から入力され、待機時においては、入力経路に応じてそれぞれ通話用端子Ｔ１１，Ｔ１２又はＴ１３，Ｔ１４を介して他の映像アダプタ１へ伝送される。これは、住戸内インターホン１０側の通話用リレー接点１１がオフ状態になっているためである。
【００１６】
Ｔ１７〜Ｔ２６は映像用端子で、その内、映像用端子Ｔ１７〜Ｔ２４には、２系統の映像線路が接続されている。また、映像用端子Ｔ１７，Ｔ１８は内部配線によって１映像用リレー接点２ａを介してもう一方の映像用端子Ｔ２１，Ｔ２２に接続され、映像用端子Ｔ１９，Ｔ２０は２映像用リレー接点４ａを介してもう一方の映像用端子Ｔ２３，Ｔ２４に接続され、映像用端子Ｔ２５，Ｔ２６は、１映像用リレー接点２ａ及び２映像用リレー接点４ａと接続されている。映像制御装置又は他の映像アダプタ１からの映像信号は、映像用端子Ｔ１７，Ｔ１８又はＴ１９，Ｔ２０から入力され、待機時においては、映像用端子Ｔ１７，Ｔ１８からの映像信号は、１映像用リレー接点２ａ及び映像用端子Ｔ２１，Ｔ２２を介して他の映像アダプタ１へ伝送され、また、映像用端子Ｔ１９，Ｔ２０からの映像信号は、２映像用リレー接点４ａ及び映像用端子Ｔ２３，Ｔ２４を介して他の映像アダプタ１へ伝送される。
【００１７】
２は１映像用リレーコイル（第１のリレーコイル）で、映像用端子Ｔ２５側に直流電圧（線路切換信号）が入力されたときに励磁され、１映像用リレー接点２ａの接続を切り換える。３は２通話用リレーコイルで、映像用端子Ｔ２６側に直流電圧が入力されたときに励磁され、２通話用リレー接点３ａの接続を切り換える。２通話用リレー接点３ａは、２系統の通話線路から分岐された線路と通話分岐線路２２側との間に挿入され、常時、一方の通話線路を導通状態にしている。４は２通話用リレーコイル３に並列に接続された２映像用リレーコイルで、２通話用リレーコイル３と同様に映像用端子Ｔ２６側に直流電圧が入力されたときに励磁され、２映像用リレー接点４ａの接続を切り換える。２組の映像用リレー接点２ａ，４ａは、２系統の映像線路上にそれぞれ挿入され、常時、各映像線路を導通状態にし、かつ、映像分岐線路２３側との間を開放している。なお、これら３個のリレーコイル２，３，４への電源は、待機時にはオフ状態になっている。また、２通話用リレーコイル３及び２映像用リレーコイル４によって、本発明の第２のリレーコイルが構成されている。映像アダプタ１はこのように構成され、線路切換信号に基づいて、複数の（２系統の）通話線路から目的の通話線路を選択して通話分岐線路と接続すると共に、複数の（２系統の）映像線路から目的の映像線路を選択して映像分岐線路と接続する。
【００１８】
１０は各住戸に設置された住戸内インターホンで、前記の集合玄関機やカメラ付きのドアホン（図示せず）からの呼出に応じて通話可能にする機能、集合玄関機のカメラにより撮影された映像や、ドアホンのカメラにより撮影された映像をモニタ（図示せず）に表示する機能などを有している。Ｔ１０１，Ｔ１０２は制御回路基板１６に接続された制御用端子、Ｔ１０３，Ｔ１０４は音声回路基板（図示せず）に接続された通話用端子、Ｔ１０５，Ｔ１０６は映像回路基板（図示せず）に接続された映像用端子である。これら端子は、３ペアケーブルを介して映像アダプタ１の各端子と接続されている。Ｔ１０７，Ｔ１０８はドアホンと接続するためのドアホン用端子である。
【００１９】
１１は通話分岐線路側に接続され、待機時、オフ状態の通話用リレー接点、１２は映像切換用リレー接点で、待機時はドアホン側に接続されている。１３は電源切換用リレー接点で、待機時はドアホンカメラ電源側に接続されている。１４はコイル電源切換用リレー接点で、待機時は１映像用コイル電源側に接続されている。１５はドアホンからの呼出を受けたときにオン状態になるカメラ電源用リレー接点である。前述した制御回路基板１６には、前記の各リレー接点をそれぞれ有するリレー（図示せず）、制御分岐線路を介して制御信号が受信されたときに、制御信号上の識別情報を基に自己への呼出かどうかを判別し、自己への呼出と判断したときは、動作説明時に詳述するが、制御信号上の線路情報に基づいて線路系統を判別し、この判別結果に基づいて前記のリレーを駆動する制御部１６ａなどが実装されている。なお、図中に示す１映像用コイル電源は、本発明の第１電源に相当し、２通話・２映像用コイル電源は、本発明の第２電源に相当する。また、電源切換用リレー接点１３、コイル電源切換用リレー接点１４及びこれらリレー接点１３，１４をそれぞれ有するリレーによって、本発明の電源切換部が構成されている。この電源切換部は、制御部１６ａにより系統１と判別されたとき、第１電源の電圧を線路切換信号として映像分岐線路の一方の線路上に伝送し、系統２と判別されたときは、第２電源の電圧を線路切換信号として映像分岐線路の他方の線路上に伝送する。
【００２０】
次に、実施形態１の動作について図２及び図３を用いて説明する。図２は通話線路１，２及び映像線路１，２のうち通話線路１上の通話信号及び映像線路１上の映像信号を受信したときの回路図、図３は通話線路１，２及び映像線路１，２のうち通話線路２上の通話信号及び映像線路２上の映像信号を受信したときの回路図である。
住戸内インターホン１０に設けられた制御回路基板１６の制御部１６ａは、常時、制御信号が映像アダプタ１から制御分岐線路２１を介して受信されたかどうかを監視しており、制御信号の受信を確認したときは、制御信号に付加された識別情報（例えば、部屋番号）を抽出して自己への呼出かどうかを判別し、識別情報から自己への呼出でないと判断したときは、呼出に対して無視し映像アダプタ１側の各リレー接点の接続状態を保持する（図１参照）。この状態において、通話信号が通話線路１を経て通話用端子Ｔ７，Ｔ８に入力されたときは、通話用端子Ｔ１１，Ｔ１２から同一通話線路１を経て他の映像アダプタ１へ伝送され、映像信号が映像線路１を介して映像用端子Ｔ１７，Ｔ１８に入力されたときは、１映像用リレー接点２ａを経由して映像用端子Ｔ２１，Ｔ２２から同一映像線路１を経て他の映像アダプタ１へ伝送される。また、通話信号が通話線路２を介して通話用端子Ｔ９，Ｔ１０に入力されたときは、通話用端子Ｔ１３，Ｔ１４から同一通話線路２を経て他の映像アダプタ１へ伝送され、映像信号が映像線路２を介して映像用端子Ｔ１９，Ｔ２０に入力されたときは、２映像用リレー接点４ａを経由して映像用端子Ｔ２３，Ｔ２４から同一映像線路２を経て他の映像アダプタ１へ伝送される。
【００２１】
他の住戸による通話信号及び映像信号の送受信が終了した後に、再び制御信号が映像アダプタ１から制御分岐線路２１を介して受信されると、前記の制御部１６ａは、前記と同様に識別情報を抽出して自己への呼出かどうかを判別し、識別情報から自己への呼出と判断したときは線路情報を判別する。そして、線路情報に基づいて線路切換信号を映像分岐線路を通じて送信する。即ち、その情報が制御部１６ａにより系統１と判別されたときは、図２に示すように、通話用リレー接点１１をオンにし、かつ、電源切換用リレー接点１３をコイル電源切換用リレー接点１４側に切り換えて、１映像用コイル電源（系統１用コイル電源）の直流電圧を映像分岐線路２３を通じて１映像用リレーコイル２に印加する。この場合、映像アダプタ１の映像用端子Ｔ２５側がプラスとなり、映像用端子Ｔ２６側がマイナスとなる。この直流電圧の印加により、言い換えれば線路切換信号が受信されたとき、１映像用リレー接点２ａが切り換わり、映像用端子Ｔ１７，Ｔ１８と映像用端子Ｔ２５，Ｔ２６との間を導通状態にする。この時、通話用端子Ｔ７，Ｔ８に入力された通話線路１からの通話信号は、２通話用リレー接点３ａを経て通話用端子Ｔ１５，Ｔ１６から通話分岐線路２２を介して住戸内インターホン１０の通話用端子Ｔ１０３，Ｔ１０４へ入力し、音声回路基板に伝送される。また、映像用端子Ｔ１７，Ｔ１８に入力された映像線路１からの映像信号は、１映像用リレー接点２ａを経て映像用端子Ｔ２５，Ｔ２６から映像分岐線路２３を介して住戸内インターホン１０の映像用端子Ｔ１０５，Ｔ１０６へ入力し、映像回路基板に伝送される。
【００２２】
他の住戸で系統１（通話線路１及び映像線路１）側が使用されているときに、制御信号が映像アダプタ１を介して受信されると、前記の制御部１６ａは、前記と同様に識別情報を抽出して自己への呼出かどうかを判別する。識別情報から自己への呼出でないと判断したときは呼出に対して無視し、識別情報から自己への呼出と判断したときは線路情報を判別する。この場合、制御部１６ａにより系統２（通話線路２及び映像線路２）と判別されるため、図３に示すように、通話用リレー接点１１をオンにし、かつ、電源切換用リレー接点１３をコイル電源切換用リレー接点１４側に切り換えると共に、そのコイル電源切換用リレー接点１４を２通話・２映像用コイル電源側（系統２用コイル電源）に切り換え、その電源の直流電圧を映像分岐線路２３を通じて２通話用リレーコイル３と２映像用リレーコイル４とに印加する。この場合は、映像アダプタ１の映像用端子Ｔ２５側がマイナスとなり、映像用端子Ｔ２６側がプラスとなる。この直流電圧の印加により、系統２を示す線路切換信号が受信されたことになり、２通話用リレー接点３ａが切り換わって通話用端子Ｔ９，Ｔ１０と通話用端子Ｔ１５，Ｔ１６との間を導通状態にし、通話線路２からの通話信号を映像アダプタ１を介して住戸内インターホン１０の音声回路基板に受信させ、また、２映像用リレー接点４ａが切り換わって映像用端子Ｔ１９，Ｔ２０と映像用端子Ｔ２５，Ｔ２６との間を導通状態にし、映像線路２からの映像信号を映像アダプタ１を介して住戸内インターホン１０の映像回路基板に受信させる。
【００２３】
以上のように実施形態１によれば、通話線路１からの通話信号及び映像線路１からの映像信号を受信するときは、住宅内インターホン１０の通話用リレー接点１１をオンにすると共に、直流電圧を映像分岐線路２３を通じて１映像用リレーコイル２に印加し、１映像用リレー接点２ａを映像線路１側に切り換える。また、通話線路２からの通話信号及び映像線路２からの映像信号を受信するときは、住宅内インターホン１０の通話用リレー接点１１をオンにすると共に、直流電圧を映像分岐線路２３を通じて２通話用及び２映像用リレーコイル３，４に印加し、２通話用リレー接点３ａを通話線路２側に切り換えると共に、２映像用リレー接点４ａを映像線路２側に切り換えるようにした。このため、映像アダプタ１と住宅内インターホン１０との間を３ペアケーブルでも各信号の送受信が可能になり、このため、従来と比べケーブルの接続が容易になり、工事者の負担を軽減できる。
【００２４】
実施形態２．
前記の実施形態１では、系統１側からの通話信号及び映像信号を受信する際、映像アダプタ１の映像用端子Ｔ２５側がプラスに、系統２側からの通話信号及び映像信号を受信する際は、映像アダプタ１の映像用端子Ｔ２６側がプラスになるようにしたが、本実施形態２は、直流電圧の極性に関係なく線路系統に応じて各リレーコイルに電圧を供給できるようにしたものである。
図４は本発明の実施形態２のインターホンシステムに係るインターホンシステムの映像アダプタ及び住戸内インターホンの回路図である。なお、図中に示す映像アダプタ及び住戸内インターホンの各リレー接点は、前記と同様に待機時の接続状態である。
【００２５】
実施形態２においては、住戸内インターホン１０の１映像用コイル電源の電圧が例えば１２Ｖで、２通話・２映像用コイル電源の電圧が例えば２４Ｖとなっている。系統１側からの通話信号及び映像信号を受信する際は、電源切換用リレー接点１３が切り換わるので、映像アダプタ１の映像用端子Ｔ２５側が１２Ｖとなり、系統２側からの通話信号及び映像信号を受信する際は、電源切換用リレー接点１３とコイル電源切換用リレー接点１４とが切り換わるので、映像アダプタ１の映像用端子Ｔ２６側が２４Ｖとなる。
【００２６】
図中に示すダイオードブリッジ回路５ａは、映像用端子Ｔ２５，Ｔ２６から分岐された２本の分岐線に接続され、各映像用端子Ｔ２５，Ｔ２６に印加される直流電圧（１２Ｖ又は２４Ｖ）をプラス極側から出力する。電圧比較回路５ｂ、ダイオードブリッジ回路５ａからの直流電圧が入力されたときに、予め設定された基準電圧（例えば１８Ｖ）と比較し、直流電圧が基準電圧以上のときは、並列に接続された２通話用リレーコイル３及び２映像用リレーコイル４にその直流電圧（２４Ｖ）を印加し、直流電圧が基準電圧未満のときは、１映像用リレーコイル１にその直流電圧（１２Ｖ）を印加する。なお、図示しないカメラ付ドアホンからの呼出があった場合には、映像切換用リレー接点１２及びカメラ電源用リレー接点１５をそれぞれ切り換える。
【００２７】
次に、本実施形態２の動作について図２及び図３を参照しながら説明する。
住戸内インターホン１０の制御部１６ａは、集合玄関機側からの呼出によって、系統１側からの通話信号及び映像信号を受信する際、図２で説明したように、通話用リレー接点１１をオンにし、かつ、電源切換用リレー接点１３をコイル電源切換用リレー接点１４側に切り換えて、１映像用コイル電源の直流電圧（１２Ｖ）を映像分岐線路２３を通じて映像アダプタ１の映像用端子Ｔ２５，Ｔ２６から入力させる。この時、ダイオードブリッジ回路５ａは、直流電圧をプラス極から出力し、電圧比較回路５ｂは、入力された直流電圧と基準電圧とを比較する。この直流電圧は１２Ｖであるため、１映像用リレーコイル２にその直流電圧を印加し、１映像用リレー接点２ａの接続を切り換えさせて、映像用端子Ｔ１７，Ｔ１８と映像用端子Ｔ２５，Ｔ２６との間を導通状態にする。この時、通話用端子Ｔ７，Ｔ８に入力された通話信号は、２通話用リレー接点３ａを介して通話用端子Ｔ１５，Ｔ１６から住戸内インターホン１０の通話用端子Ｔ１０３，Ｔ１０４へ入力し、音声回路基板に伝送される。また、映像用端子Ｔ１７，Ｔ１８に入力された映像信号は、１映像用リレー接点２ａを介して映像用端子Ｔ２５，Ｔ２６から住戸内インターホン１０の映像用端子Ｔ１０５，Ｔ１０６へ入力し、映像回路基板に伝送される。
【００２８】
また、住戸内インターホン１０の制御部１６ａは、集合玄関機側からの呼出によって、系統２側からの通話信号及び映像信号を受信する際、図３で説明したように、通話用リレー接点１１をオンにし、かつ、電源切換用リレー接点１３をコイル電源切換用リレー接点１４側に切り換えると共に、そのコイル電源切換用リレー接点１４を２通話・２映像用コイル電源側に切り換え、２４Ｖの直流電圧を映像分岐線路２３を通じて映像アダプタ１の映像用端子Ｔ２５，Ｔ２６から入力させる。この時、ダイオードブリッジ回路５ａは、前記と同様に直流電圧をプラス極から出力し、電圧比較回路５ｂは、入力された直流電圧と基準電圧とを比較する。この直流電圧は２４Ｖであるため、２通話用リレーコイル３と２映像用リレーコイル４とにその直流電圧を印加し、２通話用リレー接点３ａの接続を切り換えさせて通話用端子Ｔ９，Ｔ１０と通話用端子Ｔ１５，Ｔ１６との間を導通状態にし、２映像用リレー接点４ａの接続を切り換えさせて映像用端子Ｔ１９，Ｔ２０と映像用端子Ｔ２５，Ｔ２６との間を導通状態にする。この時、通話線路２からの通話信号を映像アダプタ１を介して住戸内インターホン１０の音声回路基板に受信させ、映像線路２からの映像信号を映像アダプタ１を介して住戸内インターホン１０の映像回路基板に受信させる。
【００２９】
以上のように実施形態２によれば、映像アダプタ１に、映像分岐線路２３の一方の線路及び他方の線路に伝送される線路切換信号（直流電圧）を一方向から出力するダイオードブリッジ回路５ａと、ダイオードブリッジ回路５ａからの直流電圧と予め設定された基準電圧とを比較し、その電圧が基準電圧未満のときは、直流電圧を１映像用リレーコイル２に供給し、入力電圧が基準電圧以上のときは、その電圧を２通話用リレーコイル３と２映像用リレーコイル４とに供給する電圧比較回路５ｂとを備えたので、映像アダプタ１と住戸内インターホン１０とを結ぶ映像分岐線路２３が誤ってクロスした状態で接続されたとしても、住戸内インターホン１０によって判別された線路系統からの各信号を取り入れることができる。
【００３０】
本実施形態では、通話線路、映像線路がそれぞれ２系統である場合で説明したが、これら線路は複数、例えば３系統や４系統であってもよい。この場合には、それぞれ異なる電圧値によってリレーコイルを駆動させ、複数設けたリレーの接点を制御すればよい。また実施形態では、通話線路と映像線路両方を備えたシステムで説明したが、これら線路が単独で存在するシステムに本発明を適用してもよい。
【図面の簡単な説明】
【００３１】
【図１】本発明の実施形態に係るインターホンシステムの映像アダプタ及び住戸内インターホンの回路図である。
【図２】通話線路１上の通話信号及び映像線路１上の映像信号を受信したときの回路図である。
【図３】通話線路１，２及び映像線路１，２のうち通話線路２上の通話信号及び映像線路２上の映像信号を受信したときの回路図である。
【図４】本発明の実施形態２のインターホンシステムに係るインターホンシステムの映像アダプタ及び住戸内インターホンの回路図である。
【符号の説明】
【００３２】
１  映像アダプタ、２  １映像用リレーコイル、３  ２通話用リレーコイル、４  ２映像用リレーコイル、５ａ  ダイオードブリッジ回路、５ｂ  電圧比較回路、６  制御伝送路、１０  住戸内インターホン、１１  通話用リレー接点、１２  映像切換用リレー接点、１３  電源切換用リレー接点、１４  コイル電源切換用リレー接点、１６  制御回路基板、１６ａ  制御部、２１  制御分岐線路、２２  通話分岐線路、２２  映像分岐線路。
【図１】
2005286567.tif 000003
【図２】
2005286567.tif 000004
【図３】
2005286567.tif 000005
【図４】
2005286567.tif 000006